(57)【要約】 【課題】  異なる仕様のキー入力装置を、キーボードスイッチ部（３）の印刷パターンを変更するだけで、短期間に製造することができるキー入力装置を提供する。【解決手段】  キーボードスイッチ部（３）の可撓性フィルム基板（５）に印刷して形成される複数の可動側引き出し線（７）と固定側引き出し線（９）を、マイクロコンピュータ（２）の複数の信号ピンへ対応接続し、一組の可動側引き出し線（７）と固定側引き出し線（９）が接続することから、押し下げられたキー（１２）を検出する。印刷パターンを変更するだけで、キー（１２）のレイアウトを変更でき、また、信号ピンとの対応接続関係が異なるものとなっても、そのキー（１２）検出動作に合わせた制御プログラムをプログラマブルＲＯＭ（４）へ書き込むことによって、押し下げられたキー（１２）を検出できる。【選択図】  図３
2006318175.tif 000002
【特許請求の範囲】
【請求項１】
複数のキー（１２）からなるキーボードスイッチ部（３）と、
複数のキー（１２）のいずれか押し下げられたキー（１２）を検出し、押し下げられたキー（１２）に対応するキーデータを出力するキーデータ出力手段とを備えたキー入力装置において、
キーボードスイッチ部（３）は、
可撓性フィルム基板（５）で形成される可動側基板（５Ａ）及び固定側基板（５Ｂ）と、
固定側基板（５Ｂ）と対抗する可動側基板（５Ａ）に印刷して形成される複数の可動側引き出し線（７）と、
複数の可動側引き出し線（７）とマトリックス状に交差するように、可動側基板（５Ａ）と対向する固定側基板（５Ｂ）に印刷して形成される複数の固定側引き出し線（９）と、
可動側引き出し線（７）と固定側引き出し線（９）の各交差位置に、可動側引き出し線（７）に連続して可動側基板（５Ａ）に印刷して形成される複数の可動電極（６）と、
複数の可動電極（６）とそれぞれ絶縁間隙を隔てて対抗する固定側基板（５Ｂ）に、固定側引き出し線（９）に連続して形成される複数の固定電極（８）とを有し、
対抗する一組の可動電極（６）と固定電極（８）からキー（１２）が形成され、
キーデータ出力手段は、
剛性プリント配線基板（１５）に実装され、剛性プリント配線基板（１５）のランドパターン（Ｌ）を介して、複数の信号ピンを各可動側引き出し線（７）及び固定側引き出し線（９）に対応接続することにより、可動側引き出し線（７）と固定側引き出し線（９）間の接続を検出し、接続を検出した可動側引き出し線（７）と固定側引き出し線（９）の交差位置のキー（１２）を押し下げられたキー（１２）として検出し、押し下げられたキー（１２）に対応するキーデータを出力するマイクロコンピュータ（２）と、
マイクロコンピュータ（２）に内蔵され、マイクロコンピュータ（２）の前記動作を制御する制御プログラムを書き込み可能なプログラムＲＯＭ（４）とを有し、
剛性プリント配線基板（１５）へマイクロコンピュータ（２）を実装した後に、複数のキー（１２）と、キー（１２）を表すキーデータに合わせた任意の制御プログラムをプログラマブルＲＯＭ（４）へ書き込み可能としたことを特徴とするキー入力装置。
【請求項２】
プログラムＲＯＭ（４）の制御プログラムは、マイクロコンピュータ（２）を実装した剛性プリント配線基板（１５）のランドパターン（Ｌ）を、オンボードライタ（３０）の書き込み用端子に接続し、ランドパターン（Ｌ）を介してマイクロコンピュータ（２）の信号ピンから書き込まれることを特徴とする請求項１に記載のキー入力措置。
【請求項３】
キーデータとして、被制御機器の動作を制御する動作制御データをマイクロコンピュータ（２）から出力する請求項１又は請求項２のキー入力装置と、
マイクロコンピュータ（２）から出力される動作制御データを、赤外線信号により被制御機器へ送信する赤外送信手段（２１、２２）とを備えたリモートコントロール送信機であって、
剛性プリント配線基板（１５）へマイクロコンピュータ（２）を実装した後に、複数のキー（１２）と、キー（１２）に対応する動作制御データに合わせた任意の制御プログラムをプログラマブルＲＯＭ（４）へ書き込み可能としたことを特徴とする請求項１又は請求項２のキー入力装置を備えたリモートコントロール送信機。
【請求項４】
赤外送信手段を構成する回路素子（２１、２２）は、マイクロコンピュータ（２）が実装される剛性プリント配線基板（１５）に実装されることを特徴とする請求項３に記載のリモートコントロール送信機。
【発明の詳細な説明】
【技術分野】
【０００１】
本発明は、複数のキーのいずれか押し下げられたキーを検出し、そのキーに対応するキーデータを出力するキー入力装置若しくはキー入力装置を備えたリモートコントロール装置に関し、更に詳しくは、これらの動作を、プログラマブルＲＯＭに書き込まれる制御プログラムにより、キー入力装置に備えられるマイクロコンピュータが実行するキー入力装置とキー入力装置を備えたリモートコントロール送信機に関する。
【背景技術】
【０００２】
複数のキーからなるキーボードスイッチ部を備え、いずれか押し下げられたキーに対応するキーデータを出力するキー入力装置は、入力操作に応じて種々の動作を行う機器に備えられている。このうち、キーボードスイッチ部は、可動電極と固定電極が対向するキーと、これらの電極に接続する引き出し線を配線させるだけの単純な構造であるため、電極と引き出し線を印刷した２枚の可撓性フィルム基板を重ね若しくは折り曲げただけで構成されるキーボードスイッチ部が知られている。（例えば特許文献１参照）。
【０００３】
【特許文献１】米国特許第４４４０９９０号特許公報（第４頁第３欄、第１図、第２図）
【０００４】
図７、図８は、この特許文献１に記載されたキーボードスイッチ部１０１を構成するフィルム基板１０２の展開図と、キーボードスイッチ部１０１の斜視図であり、フィルム基板１０２は、マイラーフィルムなどの可撓性絶縁プラスチックシートで形成される。図７に示すように、一枚のフィルム基板１０２に、可動側基板１０２Ａと固定側基板１０２Ｂと外部接続テール１０２Ｃとが一体に形成され、可動側基板１０２Ａと固定側基板１０２Ｂの境界に形成されたスリット１０３で折り曲げられ、可動側基板１０２Ａと固定側基板１０２Ｂが折り重ねられるようになっている。
【０００５】
可動側基板１０２Ａには、複数の可動電極１０４、１０４・・と、３個の可動電極１０４毎に接続する複数の可動側引き出し線１０６、１０６・・が形成され、また、固定側基板１０２Ｂには、複数の固定電極１０５、１０５・・と、４個の固定電極１０５毎に接続する複数の固定側引き出し線１０７、１０７・・とが、それぞれ形成されている。これらの各電極１０４、１０５及び引き出し線１０６、１０７は、導電性インクをスクリーン印刷によりフィルム基板１０２の一面に印刷して形成される。対となる可動電極１０４と固定電極１０５は、折り曲げられるスリット１０３についてそれぞれ対称位置に形成され、可動側基板１０２Ａと固定側基板１０２Ｂが折り重ねられた図８に示す状態で、対となる一組の可動電極１０４と固定電極１０５が対向して一つのキーが形成される。
【０００６】
また、各可動電極１０４と固定電極１０５は、マトリックス状に配線される可動側引き出し線１０６と固定側引き出し線１０７の交差位置に形成され、従って、一組の可動電極１０４と固定電極１０５間が接続すると、複数の可動側引き出し線１０６と固定側引き出し線１０７のうち、一組の可動側引き出し線１０６と固定側引き出し線１０７のみが接続する。
【０００７】
複数の可動側引き出し線１０６、１０６及び固定側引き出し線１０７、１０７・・は、外部接続テール１０２Ｃまで引き出され、外部接続テール１０２Ｃの端部をコネクタ１０８へ挿入して接続することにより、コネクタ１０８を介して図示しないマイクロコンピュータなどで構成されるキーデータ出力手段に電気接続される。
【０００８】
図８に示すように、折り重ねられる可動側基板１０２Ａと固定側基板１０２Ｂ間には、対向する可動電極１０４と固定電極１０５間が接触しないように、キーが形成される部位に透孔が穿設されたスペーサシート１０９が配置され、また、可動側基板１０２Ａの表面側に、可動電極１０４を押し下げ操作可能なように、可動電極１０４が形成される部位にキー入力表示１１０が印刷された可撓性押圧シート１１１が配置されている。
【０００９】
いずれかのキーが押し下げられ、その可動電極１０４が対向する固定電極１０５に接触すると、キーデータ出力手段は、一組の可動側引き出し線１０６と固定側引き出し線１０７のみが接続することから、接触している可動電極１０４及び固定電極１０５、すなわち押し下げられたキーを検出し、そのキーに対応するキーデータを出力する。
【００１０】
このキーボードスイッチ部１０１とキーデータ出力手段からなるキー入力装置は、キーボードスイッチ部１０１が、フィルム基板１０２へ電極１０４、１０５及び引き出し線１０６、１０７を印刷するだけで、軽量かつ薄型に形成できるので、持ち運び可能な簡易キー入力装置として用いられ、例えば、キーデータ出力手段から出力するキーデータとして被制御機器の動作を制御する動作制御データを出力し、動作制御データを赤外線信号により被制御機器へ送信するリモートコントロール送信機のキー入力装置として使用される。
【発明の開示】
【発明が解決しようとする課題】
【００１１】
上述した従来のキーボードスイッチ部１０１は、フィルム基板１０２への印刷パターンを変更するだけで、キーの数、キーのレイアウト変更に応じた汎用性のあるキーボードスイッチ部１０１が得られる。
【００１２】
一方、キーボードスイッチ部１０１の押し下げられたキーを検出し、そのキーに対応するキーデータを出力するキーデータ出力手段としては、一般にＲＯＭ（Ｒｅａｄ  Ｏｎｌｙ  Ｍｅｍｏｒｙ）を内蔵するマイクロコンピュータが用いられ、ＲＯＭに記憶された制御プログラムに従ってマイクロコンピュータが上記動作を実行する。内蔵されるＲＯＭは、電源を受けずに書き込んだプログラムの内容が変化しないことから、システムを起動させるブートプログラムや固定したマイクロコンピュータの動作を制御する制御プログラムを記憶するメモリーとして用いられ、このうち、製造時にプログラミングされるマスクＲＯＭ（Ｍａｓｋ  Ｒｅａｄ  Ｏｎｌｙ  Ｍｅｍｏｒｙ）が、プログラムを書込む為の回路がなく、比較的低コストであることから一般に使用されている。
【００１３】
一方で、このマスクＲＯＭは、異なるキー入力装置の仕様に適合するように製造後プログラミングすることができないという汎用性に欠け、同じキー入力装置を大量生産しなければ、効果的なコスト削減を実現することができない。また、制御プログラムを記憶させたマスクＲＯＭの製造には長期間を要するため、特定の仕様に適合するキー入力装置を短期間に製造することはできなかった。
【００１４】
このため、上述の汎用性のあるキーボードスイッチ部１０１を用いても、キーデータ出力手段とにより構成されるキー入力装置全体では、キーボードスイッチ部１０１のキー数の変更や、出力するキーデータの変更に対応させることができず、汎用性のある装置とすることができなかった。
【００１５】
更に、新しい仕様のキー入力装置を製造する場合にも、その仕様に合わせた制御プログラムを記憶するマスクＲＯＭの製造に長期間を要するため、短期間で製造することができなかった。
【００１６】
また、上述のキー入力装置をリモートコントロール送信機のキー入力装置として用いる場合には、キーボードスイッチ部１０１のキーレイアウトが同一であっても、被制御機器毎に動作制御データが異なるので、その都度新たな制御プログラムが格納されたＲＯＭを製造する必要があり、短期間に製造できないばかりか、被制御機器毎のリモートコントロール送信機の在庫が増大し、コスト上昇の原因となっていた。
【００１７】
本発明は、このような従来の問題点を考慮してなされたものであり、異なる仕様のキー入力装置を、キーボードスイッチ部の印刷パターンを変更するだけで、短期間に製造することができるキー入力装置を提供することを目的とする。
【００１８】
また、異なる種類の被制御機器の動作を、同一構成のキーボードスイッチ部とキーデータ出力手段を用いて制御可能な汎用のリモートコントロール送信機を提供することを目的とする。
【課題を解決するための手段】
【００１９】
上述の目的を達成するため、請求項１のキー入力装置は、複数のキーからなるキーボードスイッチ部と、複数のキーのいずれか押し下げられたキーを検出し、押し下げられたキーに対応するキーデータを出力するキーデータ出力手段とを備えたキー入力装置において、キーボードスイッチ部は、可撓性フィルム基板で形成される可動側基板及び固定側基板と、固定側基板と対抗する可動側基板に印刷して形成される複数の可動側引き出し線と、複数の可動側引き出し線とマトリックス状に交差するように、可動側基板と対向する固定側基板に印刷して形成される複数の固定側引き出し線と、可動側引き出し線と固定側引き出し線の各交差位置に、可動側引き出し線に連続して可動側基板に印刷して形成される複数の可動電極と、複数の可動電極とそれぞれ絶縁間隙を隔てて対抗する固定側基板に、固定側引き出し線に連続して形成される複数の固定電極とを有し、対抗する一組の可動電極と固定電極からキーが形成され、キーデータ出力手段は、剛性プリント配線基板に実装され、剛性プリント配線基板のランドパターンを介して、複数の信号ピンを各可動側引き出し線及び固定側引き出し線に対応接続することにより、可動側引き出し線と固定側引き出し線間の接続を検出し、接続を検出した可動側引き出し線と固定側引き出し線の交差位置のキーを押し下げられたキーとして検出し、押し下げられたキーに対応するキーデータを出力するマイクロコンピュータと、マイクロコンピュータに内蔵され、マイクロコンピュータの前記動作を制御する制御プログラムを書き込み可能なプログラムＲＯＭとを有し、
剛性プリント配線基板へマイクロコンピュータを実装した後に、複数のキーと、キーを表すキーデータに合わせた任意の制御プログラムをプログラマブルＲＯＭへ書き込み可能としたことを特徴とする。
【００２０】
キーボードスイッチ部のいずれかのキーが押し下げられると、押し下げられたキーの可動電極が対向する固定電極に接触し、可動電極と固定電極が接触することにより、これらの電極に接続する一組の可動側引き出し線及び固定側引き出し線間が接続する。
【００２１】
マイクロコンピュータは、複数の信号ピンを各可動側引き出し線及び固定側引き出し線に対応接続させているので、その内の一組の可動側引き出し線及び固定側引き出し線間の接続を検出することにより、押し下げられたキーを検出し、そのキーに対応するキーデータを出力する。
【００２２】
キーボードスイッチ部のキー数及びキーのレイアウトは、電極及び引き出し線の数及び印刷位置を印刷パターンを変更することにより容易に変更できる。キーボートスイッチ部の仕様が異なり、複数の信号ピンに対応接続する可動側引き出し線及び固定側引き出し線の数、及びその対応関係が異なるものとなっても、そのキーボードスイッチ部の押し下げられたキーを検出する制御プログラムをプログラマブルＲＯＭへ書き込み、マイクロコンピュータを動作させることで、キーデータ出力手段の構成を変えずに、押し下げられたキーを検出できる。
【００２３】
また、任意の異なるキーデータを出力するマイクロコンピュータの動作に合わせた制御プログラムをプログラマブルＲＯＭへ書き込むことによって、キー入力装置の構成を変えずに、任意のキーデータが出力される。
【００２４】
マイクロコンピュータを剛性プリント配線基板へ実装した後に、制御プログラムをプログラマブルＲＯＭへ書き込むので、剛性プリント配線基板へ実装させたマイクロコンピュータからなる同一構成のキーデータ出力手段を用いて、キーボードスイッチ部や出力するキーデータの仕様変更に対応させたキー入力装置とすることができる。
【００２５】
請求項２のキー入力装置は、プログラムＲＯＭの制御プログラムが、マイクロコンピュータを実装した剛性プリント配線基板のランドパターンを、オンボードライタの書き込み用端子に接続し、ランドパターンを介してマイクロコンピュータの信号ピンから書き込まれることを特徴とする。
【００２６】
剛性プリント配線基板のランドパターンは、信号ピンからマイクロコンピュータに内蔵されるプログラマブルＲＯＭに接続し、キーボードスイッチ部の可動側引き出し線及び固定側引き出し線を接続する前は、オンボードライタの書き込み端子を接続できる。マイクロコンピュータを実装した剛性プリント配線基板をオンボードライタに載置し、ランドパターンと書き込み用端子を接続し、オンボードライタから制御プログラムがプログラマブルＲＯＭに書き込まれる。
【００２７】
請求項３のキー入力装置を備えたリモートコントロール送信機は、キーデータとして、被制御機器の動作を制御する動作制御データをマイクロコンピュータから出力する請求項１又は請求項２のキー入力装置と、マイクロコンピュータから出力される動作制御データを、赤外線信号により被制御機器へ送信する赤外送信手段とを備えたリモートコントロール送信機であって、剛性プリント配線基板へマイクロコンピュータを実装した後に、複数のキーと、キーに対応する動作制御データに合わせた任意の制御プログラムをプログラマブルＲＯＭへ書き込み可能としたことを特徴とする。
【００２８】
複数のキーと、キーに対応する動作制御データに合わせた任意の制御プログラムをプログラマブルＲＯＭへ書き込むことにより、同一構成のキー入力装置を用いて、異なる被制御機器の動作を制御するリモートコントロール送信機が得られる。
【００２９】
請求項４のキー入力装置を備えたリモートコントロール送信機は、赤外送信手段を構成する回路素子は、マイクロコンピュータが実装される剛性プリント配線基板に実装されることを特徴とする。
【００３０】
可撓性フィルム基板への実装が困難なマイクロコンピュータ及び赤外送信手段を構成する回路素子を、可撓性フィルム基板で形成されるキーボードスイッチ部と分けて、同一の剛性プリント配線基板へ実装し、同一の実装工程での実装が可能となる。
【発明の効果】
【００３１】
請求項１の発明によれば、マイクロコンピュータを実装した剛性プリント配線基板を、キーボードスイッチ部や出力するキーデータの仕様が異なるキー入力装置に共通して用いることができ、同一製品を多数量産することにより安価に製造できる。
【００３２】
また、マイクロコンピュータを実装する剛性プリント配線基板には、キーボードスイッチ部を構成する複数の固定電極や固定側引き出し線を形成しないので、剛性プリント配線基板が小型化され、安価に製造できるとともに、マイクロコンピュータ等の電子部品を実装する実装工程において大きな実装スペースを要せず、また、剛性プリント配線基板に実装されたマイクロコンピュータのプログラムＲＯＭへ制御プログラムを書き込む際に、オンボードライタ上のプリント配線基板の設置面積が小さく、多数のプリント配線基板を載置し、同時に多数のプログラムＲＯＭへ制御プログラムを書き込むことができる。
【００３３】
更に、キーボードスイッチ部は、電極、引き出し線を印刷したフィルム基板で形成するので、軽量でかつ薄型化が可能となり、持ち運びするポータブル機器に備えられるキー入力装置に適する。
【００３４】
請求項２の発明によれば、キーボードスイッチ部の可動側引き出し線及び固定側引き出し線を信号ピンへ接続するランドパターンを利用するので、オンボードライタの書き込み用端子と接続するための接続部を別に設ける必要がない。
【００３５】
また、ＩＣソケットを用いずに、プログラムＲＯＭと書き込み用端子を接続するので、コンタクトの摩耗によるＩＣソケットの交換作業がなく、大量なプログラムＲＯＭへ制御プログラムを書き込むことができる。
【００３６】
これに加えて請求項３の発明によれば、押し下げられたキーに対応させて任意の動作制御データを出力する制御プログラムを製造工程でプログラマブルＲＯＭに記憶するので、汎用のキー入力装置と赤外送信手段を構成する部品から、短期間に種々の被制御機器に対応するリモートコントロール送信機を、被制御機器の需要に合わせ、適量を製造できる。
【００３７】
請求項４の発明によれば、マイクロコンピュータと赤外送信手段を構成する回路素子を実装した剛性プリント配線基板は、異なる被制御機器に対応するリモートコントロール送信機に共通して用いられる汎用部品とすることができる。印刷パターンの変更のみで仕様を変更できるキーボードスイッチ部と組み合わせることによって、共通部品で種々の仕様に合わせたリモートコントロール送信機を製造できる。
【発明を実施するための最良の形態】
【００３８】
以下、本発明に係るキー入力装置１とキー入力装置１を備えたリモートコントロール送信機１０を、図１乃至図６を用いて説明する。図１は、リモートコントロール送信機１０の主要部を示すブロック図、図２は、マイクロコンピュータ（以下、マイコンという）２内の構成を示すブロック図である。これらの図において、キーボードスイッチ部３と、プログラマブルＲＯＭ（以下、ＰＲＯＭという）４を内蔵するマイコン２とで、キー入力装置１が構成される。
【００３９】
キーボードスイッチ部３は、図３に示すように１枚の可撓性絶縁プラスチック製のフィルム基板５から形成される可動側基板５Ａと固定側基板５Ｂを有し、これらの境界で折り曲げられ、折り重ねられるようになっている。
【００４０】
可動側基板５Ａには、５行４列のマトリックス状に２０個の可動電極６、６・・と、可動電極６を各列毎に接続する４本の可動側引き出し線７、７・・が形成され、また、固定側基板５Ｂには、可動側基板５Ａと固定側基板５Ｂが折り重ねられた際に、可動電極６、６・・と対向する部位に５行４列の２０個の固定電極８、８・・と、マトリックス状に形成された固定電極８を各行毎に接続する５本の固定側引き出し線９、９・・とが、それぞれ形成されている。
【００４１】
折り重ねられる可動側基板５Ａと固定側基板５Ｂの間には、可動電極６と固定電極８が形成される領域に絶縁スペーサシート１１が挟まれている。一組の可動電極６と固定電極８は、絶縁スペーサシート１１の透孔１１ａによりわずかな絶縁間隙を隔てて対向し、対向する一組の可動電極６と固定電極８が、一つのキー１２を構成する。ここでは、絶縁スペーサシート１１を介在させ、キー１２（可動電極６）が押し下げられない通常の状態で可動電極６と固定電極８間が隔てられているが、例えば、可動電極６が印刷される部位の可動側基板５Ａを固定側基板５Ｂから離間するように湾曲形成し、可動電極６と固定電極８間をわずかな絶縁間隙を隔てて対向させてもよい。
【００４２】
キー１２を構成する一組の可動電極６と固定電極８は、マトリックス状に配線される可動側引き出し線７と固定側引き出し線９の交差位置に形成されるので、一組の可動電極６と固定電極８間が接続すると、複数の可動側引き出し線７と固定側引き出し線９のうち、一組の可動側引き出し線７と固定側引き出し線９のみが接続する。
【００４３】
図３に示すように、長方形状の可動側基板５Ａの長手方向の長さは、固定側基板５Ｂの同方向の長さよりわずかに長く、可動側基板５Ａの長手方向の一側に、４本の可動側引き出し線７にそれぞれ接続する４個の可動側接続電極１３、１３・・と、可動側接続電極１３よりやや細長の５個の固定側接続電極１４、１４・・が形成されている。可動側接続電極１３と固定側接続電極１４は、後述するプリント配線基板１５のランドパターン（Ｌ１乃至Ｌ９）と等ピッチで対応する部位に形成される。
【００４４】
また、固定側接続電極１４の長手方向の一側で、可動側基板５Ａが折り重ねられた際に、固定側接続電極１４が対向する部位には、５本の固定側引き出し線９にそれぞれ接続する５個の引き出し電極１６、１６・・が形成されている。従って、図５に示すように、可動側基板５Ａと固定側基板５Ｂが折り重ねられると、５本の固定側引き出し線９は、それぞれ引き出し電極１６を介して、５個の固定側接続電極１４に接続される。
【００４５】
可動側基板５Ａと固定側基板５Ｂの対向面に形成される上述した各電極６、８、引き出し線７、９、接続電極１３、１４及び引き出し電極１６は、導電材料である銀、カーボン等をインクとするスクリーン印刷によってフィルム基板５の一面に印刷して形成される。特に、折り重ねられる可動側基板５Ａと固定側基板５Ｂとの対向面は、フィルム基板５の同一面であるので、これらの全体は一度の印刷でまとめて形成することができる。
【００４６】
図４、図５に示すように、折り重ねられた可動側基板５Ａの表面側（図５において上方側）には、キー１２毎に可動電極６を押し下げ操作可能なように、可動電極６が形成される表面側の部位に操作摘み１７ａが一体に突設された可撓性ラバーシート１７が配置される。可撓性ラバーシート１７の長手方向一側は、肉厚な押圧部１７ｂとなっていて、可動側接続電極１３及び固定側接続電極１４とランドパターンＬ間が所定の接触圧で接触するように、可動側基板５Ａをプリント配線基板１５との間で挟持する。
【００４７】
プリント配線基板１５は、一般に、ガラスクロス、クラフト紙などに熱硬化性のエポキシ樹脂、フェノール樹脂などを含浸させた剛性を有する基板の表面若しくは裏面に銅箔面を形成し、エッチング等の化学処理により印刷配線パターンを形成してなるものであるが、本発明では、マイコン２等の電子部品を実装可能とする所定の剛性を有するものであれば、その材料、構造はいずれであってもよい。本実施の形態では、各電子部品を半田付けして実装するので、所定の耐熱性を有する基板を用いている。
【００４８】
上述のキーボードスイッチ部３とプリント配線基板１５との接続は、プリント配線基板１５の表面の一辺に沿って形成された９個のランドパターン（Ｌ１乃至Ｌ９）のうちランドパターン（Ｌ１乃至Ｌ４）に、キーボードスイッチ部３の４個の可動側接続電極１３が、ランドパターン（Ｌ５乃至Ｌ９）に、５個の固定側接続電極１４がそれぞれ導電性接着剤で接着されることにより、電気的及び機械的に接続される（図３参照）。尚、ランドパターン（Ｌ１乃至Ｌ９）と、可動側接続電極１３若しくは固定側接続電極１４との接続は、半田付け、異方導電性接着剤による接着、プリント配線基板１５へ実装したコネクタによる接続など他の種々の方法で接続してもよい。
【００４９】
図１に示すように、プリント配線基板１５に実装されるマイコン２は、信号ピン（ＫＩ、ＫＩ／Ｏ）を、それぞれ９個のランドパターン（Ｌ１乃至Ｌ９）に接続することにより、キーボードスイッチ部３のいずれか押し下げられたキー１２を検出している。すなわち、マイコン２は、信号ピン（ＫＩ／０１乃至ＫＩ／０５）から、固定側接続電極１４を介して５本の固定側引き出し線９へ、相互に異なるタイミングでキースキャン信号を出力し、可動側接続電極１３を介して４本の可動側引き出し線７に接続する信号ピン（ＫＩ０乃至ＫＩ３）のいずれかからキースキャン信号が入力された場合に、そのキースキャン信号が入力された信号ピン（ＫＩ０乃至ＫＩ３）と、入力した際にキースキャン信号を出力した信号ピン（ＫＩ／０１乃至ＫＩ／０５）とから、可動電極６が押し下げられたキー１２を検出している。
【００５０】
マイコン２のＶＤＤ端子は、直流電源１８に接続し、直流電源Ｖｄｄを駆動電源として入力している。ここでは、直流電源１８は、リモートコントロール送信機１０のケース１９に収容されるバッテリーである。
【００５１】
マイコン２のＯＳＣ−Ｏ端子とＯＳＣ−Ｉ端子間に接続される発振器２０は、マイコン２内で所定周期のクロックを発生させるためのもので、マイコン２では、クロックを分周し後述する変調信号の搬送波を生成している。
【００５２】
マイコン２のＲＥＭ端子は、スイッチング素子として作用するトランジスタ２１に接続し、変調信号をトランジスタ２１のベースへ出力することにより、直流電源１８に対してトランジスタ２１と直列に接続される赤外発光ダイオード２２の発光を制御している。  
【００５３】
図２に示すように、マイコン２内部では、バスラインを介して、入出力ポートＫＩ／Ｏ、入力ポートＫＩ、ＣＰＵ（Ｃｅｎｔｒａｌ  Ｐｒｏｃｅｓｓｉｎｇ  Ｕｎｉｔ）２３、ＣＰＵ２３の動作を制御する制御プログラム、ブートプログラム等が格納されるＰＲＯＭ４、演算用ＲＡＭ（Ｒａｎｄｏｍ  Ａｃｃｅｓｓ  Ｍｅｍｏｒｒｙ）２４、搬送波生成回路部２５等が相互に接続されている。
【００５４】
ＣＰＵ２３は、ＰＲＯＭ４に格納された制御プログラムに従って、マイコン２が行う演算、動作を実行し、また、後述するように、オンボードライタ３０が接続された場合には、ＰＲＯＭ４に格納されたブートプログラムに従って動作し、オンボードライタ３０から出力される制御プログラムをＰＲＯＭ４へ書き込む。ここでブートプログラムは、電源１８が投入された際にＣＰＵ２３をＰＲＯＭ４への書き込みモードとする、ＰＲＯＭ４の製造時に書き込まれた汎用のプログラムである。
【００５５】
入出力ポートＫＩ／Ｏは、図示しないインターフェースを介して信号ピン（ＫＩ／０１乃至ＫＩ／０５）に接続する５つの入出力ポートであり、前述したようにキーボードスイッチ部３の押圧されたキー１２を検出するため、各入出力ポートから異なるタイミングでキースキャン信号を出力する。また、入力ポートＫＩは、同様に図示しないインターフェースを介して信号ピン（ＫＩ０乃至ＫＩ３）に接続する４つの入力ポートであり、上記キースキャン信号を入力する。
【００５６】
マイコン２に内蔵されるＰＲＯＭ４は、ここでは、ＯＴＰ（Ｏｎｅ  Ｔｉｍｅ  ｐｒｏｇｒａｍｍａｂｌｅ）ＲＯＭを用いている。ＯＴＰＲＯＭ４に記憶される制御プログラムは、マイコン２をプリン配線基板１５へ実装する際に、オンボードライタ３０によって書き込まれる。本実施の形態では、被制御機器への個々の制御プログラムをウエハ処理工程で書き込むマスクＲＯＭを用いることなく、リモートコントロール送信機１０の動作に必要なＯＴＰＲＯＭ４を内蔵するマイコン２をプリント配線基板１５へ実装した段階で、被制御機器毎に対応する制御プログラムをＯＴＰＲＯＭ４へ書き込むので、短期間に、かつ在庫をかかえることなく、種々の被制御機器を動作させるリモートコントロール送信機１０を製造できる。
【００５７】
ＰＲＯＭ４は、もともと不揮発メモリーでありながら、必要最小限に書き換えを可能としたメモリーデバイスであることから、一個のマイコン２のチップに内蔵のＰＲＯＭ４は、アドレスバス、データバスなどが直接外部に引き出されない。そこで、ＰＲＯＭ４に制御プログラムを書き込む際には、ブートプログラムを起動させてマイコン２の動作モードを切り換え、マイコン２から、周辺回路、システムとの接続のために引き出される信号ピン、ここではキーボードスイッチ部３と接続する信号ピン（ＫＩ、ＫＩ／Ｏ）を、ＣＰＵ２３を介してＰＲＯＭ４へアクセスする信号ピンとして利用し、制御プログラムを書き込む。
【００５８】
オンボードライタ３０によりＯＴＰＲＯＭ４へ制御プログラムを書き込む場合には、図６に示すように、信号ピン（ＫＩ、ＫＩ／Ｏ）に接続するランドパターン（Ｌ１乃至Ｌ９）が露出するプリント配線基板１５の表面側をオンボードライタ３０上に載置し、ランドパターン（Ｌ１乃至Ｌ９）を、それぞれ対向する図示しないオンボードライタ３０の書き込み用端子に接続させ、マイコン２の信号ピン（ＫＩ、ＫＩ／Ｏ）を介してＰＲＯＭ４へ任意の制御プログラムを書き込む。
【００５９】
一般にＰＲＯＭ４への制御プログラムの書き込みは、ロムライターのＩＣソケットの書き込み用端子へＰＲＯＭ４の信号ピンを差し込み両者を接続しているが、ＩＣソケットの書き込み用端子が摩耗や疲労するためにその接続寿命は１万回程度であり、大量のＰＲＯＭ４へ制御プログラムを書き込む場合には、その都度ＩＣソケットを交換する必要がある。本実施の形態では、上述のように、オンボードライタ３０の書き込み用端子上にランドパターン（Ｌ１乃至Ｌ９）を位置決めして、プリント配線基板１５を載置するだけで、制御プログラムを書き込めるので、書き込み用端子が摩耗や疲労することなく、接続部品を交換せずに所定の制御プログラムで動作するリモートコントロール送信機を量産できる。
【００６０】
プリント配線基板１５には、このように構成されたマイコン２の他、キーボードスイッチ部３を除く図１に示す回路部品が一括して例えば同一の実装機を用いて実装される。続いて、キーボードスイッチ部３の可動側接続電極１３及び固定側接続電極１４をプリント配線基板１５のランドパターンＬ間に接触させた状態で、フィルム基板５上に可撓性ラバーシート１７を重ね、図５に示すように、操作摘み１７ａが突設された位置に透孔が穿設された上ケース１９Ａと下ケース１９Ｂからなるケース１９内に組み込まれる。
【００６１】
尚、可撓性フィルム基板５で形成される固定側基板５Ｂの背面側を、本実施の形態では剛性を有する下ケース１９Ｂで支持しているが、下ケース１９Ｂの背面に剛板を積層させて背面側に撓まないように支持してもよい。
【００６２】
以下、このように構成されたリモートコントロール送信機１０について、特定の被制御機器、例えばテレビジョン受像機の動作を制御するように、ＯＴＰＲＯＭ４に制御プログラムが書き込まれたリモートコントロール送信機１０の動作を説明する。
【００６３】
テレビジョン受像機に所定の動作を行わせるため、制御操作摘み１７ａを押し下げ操作すると、押し下げられたキー１２の可動電極６が対向する固定電極８に接触し、接触する可動電極６と固定電極８に接続する一組の可動側引き出し線７と固定側引き出し線９間が接続する。マイコン２は、信号ピン（ＫＩ／０１乃至ＫＩ／０５）から、５本の固定側引き出し線９へ、異なるタイミングでキースキャン信号を出力しているので、キースキャン信号が入力された信号ピン（ＫＩ０乃至ＫＩ３）とその入力タイミングとから、可動電極６が押し下げられたキー１２を検出される。
【００６４】
制御プログラムにより、予めキーボードスイッチ部３の各キー１２、１２・・には、テレビジョン受像機の電源、音量、チャンネル切替などの動作制御データが対応付けられ、制御プログラムで動作するＣＰＵ２３において、特定のキー１２の押圧が検出されると、そのキー１２に対応付けられた動作制御データが搬送波生成回路２５へ出力される。搬送波生成回路２５は、発振器２０から出力されるクロックの周波数を分周し、所定周波数の搬送波を生成し、制御データでＰＰＭ（Ｐｕｌｓｅ  Ｐｏｓｉｔｉｏｎ  Ｍｏｄｕｌａｔｉｏｎ）変調したＰＰＭ変調信号をＲＥＭ端子から出力する。
【００６５】
従って、押圧された特定キー１２に関連づけられた動作制御データを表す変調信号がＲＥＭ端子から出力され、この変調信号によって赤外発光ダイオード２２が駆動制御され、動作制御データを含む赤外制御信号がリモートコントロール送信機１０から送信される。被制御機器である例えばテレビジョン受像機は、リモートコントロール送信機１０から送信される赤外制御信号を受信すると、動作制御データを復調し、動作制御データに従って、押圧されたキー１２に対応する動作を実行する。
【００６６】
キーボードスイッチ部３がフィルム基板５とその印刷パターンで形成されているので、軽量、かつ薄型のリモートコントロール送信機１０とすることができ、また、被制御機器に合わせた制御プログラムを、マイコン２他の電子部品をプリント配線基板１５へ実装した状態で、ＰＲＯＭ４へ書き込むことが可能となるので、ブランクＲＯＭを内蔵するマイコン２とその他のリモートコントロール送信機１５に必要な電子部品を実装したプリント配線基板１５及びキーボードスイッチ部３を、種々の被制御機器に対応可能な汎用部品とすることができる。
【００６７】
上述の実施の形態では、キー入力装置１を被制御機器を遠隔制御するリモートコントロール送信機１０の入力装置として使用する例で説明したが、特定のキーの押し下げ操作によって、押し下げられたキーに対応するキーデータを出力するものであれば、データ入力に用いられる全ての入力装置に備えることかできる。
【００６８】
また、ＰＲＯＭの一例として、ＯＴＰＲＯＭで説明したが、少なくともＲＯＭの製造後に制御プログラムを書込可能なものであれば、ＰＰＲＯＭ（Ｐｒｏｄｕｃｔｉｏｎ  ｐｒｏｇｒａｍｍｅｄ  ｒｅａｄ  ｏｎｌｙ  Ｍｅｍｏｒｙ）、ＥＥＰＲＯＭ、ＥＰＲＯＭなどであってもよい。
【産業上の利用可能性】
【００６９】
本発明は、特定のキーの押し下げ操作によって、押し下げられたキーに対応するキーデータを、マイコンから出力するキー入力装置に適している。
【図面の簡単な説明】
【００７０】
【図１】リモートコントロール送信機１０の主要部を示すブロック図である。
【図２】マイクロコンピュータ２内の構成を示すブロック図である。
【図３】組立前のキーボードスイッチ部３とプリント配線基板１５を示す斜視図である。
【図４】キーボードスイッチ部３とプリント配線基板１５とを接続した状態を示す斜視図である。
【図５】リモートコントロール送信機１０の縦断面図である。
【図６】プリント配線基板１５をオンボードライタ３０へ載置し、ＰＲＯＭ４へ制御プログラムを書き込む状態を示す斜視図である。
【図７】従来のキーボードスイッチ部１０１の展開図である。
【図８】従来のキーボードスイッチ部１０１の斜視図である。
【符号の説明】
【００７１】
１      キー入力装置
２      マイクロコンピュータ（マイコン）
３      キーボードスイッチ部
４      プログラマブルＲＯＭ（ＰＲＯＭ）
５      可撓性フィルム基板
５Ａ    可動側基板
５Ｂ    固定側基板
６      可動電極
７      可動側引き出し線
８      固定電極
９      固定側引き出し線
１０    リモートコントロール送信機
１２    キー
１５    プリント配線基板
２１    トランジスタ（赤外送信手段）
２２    赤外発光ダイオード（赤外送信手段）
３０    オンボードライタ
【図１】
2006318175.tif 000003
【図２】
2006318175.tif 000004
【図３】
2006318175.tif 000005
【図４】
2006318175.tif 000006
【図５】
2006318175.tif 000007
【図６】
2006318175.tif 000008
【図７】
2006318175.tif 000009
【図８】
2006318175.tif 000010